(57)【要約】      （修正有）【課題】打撃フェースの幾何中心以外の部分でボールを打っても、所望の距離を達成できるメタルウッドゴルフクラブヘッドを提供する。【解決手段】メタルウッドゴルフクラブヘッドは、幾何中心を有する打撃フェース１０６と、後方本体部分とを有する。後方本体部分は、クラウン１１２およびソール１１４を有し、クラウンが打撃フェースの上側部分に結合され、ソールが打撃フェースの下側部分に結合される。中立軸ＮＡは、打撃フェースの幾何中心を通り抜け、幾何中心において打撃フェースの外側表面と直角である。第１のオフセット距離ＤＮにおいて鉛直平面で中立軸と直角に測定されるクラウン返し部１１８のクラウン高さＣＨＮは、同様に測定されるソール返し部１２２のソール高さＳＨＮに対して１０％の範囲内の差を有する。【選択図】図４
0003220257.tif 000002
【実用新案登録請求の範囲】
【請求項１】
メタルウッドゴルフクラブヘッドにおいて、
幾何中心を有する打撃フェースと、
クラウンおよびソールを有し、上記クラウンが上記打撃フェースの上側部分に結合され、上記ソールが上記打撃フェースの下側部分に結合される後方本体部分と、
上記メタルウッドゴルフクラブヘッドのヒール側部に位置付けられたホーゼルと、
上記ヒール側部と反対の側部に位置付けられたトウ側部と、
座標系であって、
上記メタルウッドゴルフクラブヘッドの予め定められたライおよびロフトに従って上記メタルウッドゴルフクラブヘッドを接地平面に載置したとき上記接地平面と平行なｘ−軸であって、上記ｘ−軸は上記打撃フェースと実質的に平行であり、上記ｘ−軸は正の方向で上記メタルウッドゴルフクラブヘッドの上記ヒール側部に向かう、上記ｘ−軸と、
上記ｘ−軸と垂直なｙ−軸であって、当該ｙ−軸は上記接地平面と直角であり、上記ｙ−軸は正の方向で上記クラウンに向かう、上記ｙ−軸と、
上記ｘ−軸と垂直なｚ−軸であって、当該ｚ−軸は上記ｙ−軸と直角であり、上記ｚ−軸は上記接地平面と平行であり、上記ｚ−軸は正の方向で上記打撃フェースに向かう、上記ｚ−軸とを有する、上記座標系とを有し、
上記メタルウッドゴルフクラブヘッドは、ゴルフクラブヘッド内部を有し、上記メタルウッドゴルフクラブヘッドは、外側表面を有し、上記外側表面は上記ゴルフクラブヘッド内部と反対側であり、
さらに、上記幾何中心を通り抜ける鉛直平面と、
上記幾何中心を通り抜ける中立軸であって、当該中立軸は上記幾何中心において上記打撃フェースの外側表面と直角である、上記中立軸と、
上記打撃フェースの上側フェース限界から上記後方本体部分へと延びるクラウン返し部と、
上記打撃フェースの下側フェース限界から上記後方本体部部分へと延びるソール返し部とを有し、
上記中立軸に平行に上記幾何中心から測定される第１のオフセット距離ＤＮが５ｍｍより大きく３０ｍｍより小さく、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの５％の範囲内で差を有し、上記クラウン高さＣＨＮおよび上記ソール高さＳＨＮが上記鉛直平面で上記中立軸と直角に測定され、
上記第１のオフセット距離ＤＮにおいて、上記クラウン高さＣＨＮが２０ｍｍより大きく、上記ソール高さＳＨＮが２０ｍｍより大きく、
上記第１のオフセット距離ＤＮにおいて、上記クラウン返し部の厚さが上記ソール返し部の厚さの０．５ｍｍの範囲内で差を有することを特徴とするメタルウッドゴルフクラブヘッド。
【請求項２】
メタルウッドゴルフクラブヘッドにおいて、
幾何中心を有する打撃フェースと、
クラウンおよびソールを有し、上記クラウンが上記打撃フェースの上側部分に結合され、上記ソールが上記打撃フェースの下側部分に結合される後方本体部分と、
上記メタルウッドゴルフクラブヘッドのヒール側部に位置付けられたホーゼルと、
上記ヒール側部と反対の側部に位置付けられたトウ側部と、
座標系であって、
上記メタルウッドゴルフクラブヘッドの予め定められたライおよびロフトに従って上記メタルウッドゴルフクラブヘッドを接地平面に載置したとき上記接地平面と平行なｘ−軸であって、上記ｘ−軸は上記打撃フェースと実質的に平行であり、上記ｘ−軸は正の方向で上記メタルウッドゴルフクラブヘッドの上記ヒール側部に向かう、上記ｘ−軸と、
上記ｘ−軸と垂直なｙ−軸であって、当該ｙ−軸は上記接地平面と直角であり、上記ｙ−軸は正の方向で上記クラウンに向かう、上記ｙ−軸と、
上記ｘ−軸と垂直なｚ−軸であって、当該ｚ−軸は上記ｙ−軸と直角であり、上記ｚ−軸は上記接地平面と平行であり、上記ｚ−軸は正の方向で上記打撃フェースに向かう、上記ｚ−軸とを有する、上記座標系とを有し、
上記メタルウッドゴルフクラブヘッドは、ゴルフクラブヘッド内部を有し、上記メタルウッドゴルフクラブヘッドは、外側表面を有し、上記外側表面は上記ゴルフクラブヘッド内部と反対側であり、
さらに、上記幾何中心を通り抜ける鉛直平面と、
上記幾何中心を通り抜ける中立軸であって、当該中立軸は上記幾何中心において上記打撃フェースの外側表面と直角である、上記中立軸と、
上記打撃フェースの上側フェース限界から上記後方本体部分へと延びるクラウン返し部と、
上記打撃フェースの下側フェース限界から上記後方本体部部分へと延びるソール返し部とを有し、
上記中立軸に平行に上記幾何中心から測定される第１のオフセット距離ＤＮが５ｍｍより大きく３０ｍｍより小さく、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの１０％の範囲内で差を有し、上記クラウン高さＣＨＮおよび上記ソール高さＳＨＮが上記鉛直平面で上記中立軸と直角に測定されることを特徴とするメタルウッドゴルフクラブヘッド。
【請求項３】
上記第１のオフセット距離ＤＮにおいて、上記クラウン高さＣＨＮが２０ｍｍより大きく、上記ソール高さＳＨＮが２０ｍｍより大きい請求項２記載のメタルウッドゴルフクラブヘッド。
【請求項４】
上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの８％の範囲内で差を有する請求項２記載のメタルウッドゴルフクラブヘッド。
【請求項５】
上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの６％の範囲内で差を有する請求項２記載のメタルウッドゴルフクラブヘッド。
【請求項６】
上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの４％の範囲内で差を有する請求項２記載のメタルウッドゴルフクラブヘッド。
【請求項７】
上記第１のオフセット距離ＤＮにおいて測定される上記クラウン返し部の上記クラウン高さＣＨＮが上記第１のオフセット距離ＤＮにおいて測定される上記ソール返し部の上記ソール高さＳＨＮの２％の範囲内で差を有する請求項２記載のメタルウッドゴルフクラブヘッド。
【請求項８】
上記鉛直面に沿って上記下側フェース限界から垂直に測定される下側フェース高さが１０ｍｍより大きい請求項２記載のメタルウッドゴルフクラブヘッド。
【請求項９】
上記第１のオフセット距離ＤＮにおいて上記クラウン返し部の厚さが上記ソール返し部の厚さの１．０ｍｍの範囲内で差を有する請求項２記載のメタルウッドゴルフクラブヘッド。
【請求項１０】
上記第１のオフセット距離ＤＮにおいて上記クラウン返し部の厚さが上記ソール返し部の厚さの０．６ｍｍの範囲内で差を有する請求項２記載のメタルウッドゴルフクラブヘッド。
【請求項１１】
上記第１のオフセット距離ＤＮにおいて上記クラウン返し部の厚さが上記ソール返し部の厚さの０．２ｍｍの範囲内の差を有する請求項２記載のメタルウッドゴルフクラブヘッド。
【考案の詳細な説明】
【技術分野】
【０００１】
この考案は、全般的には、ゴルフクラブに関連するシステム、デバイス、および方法に関し、より具体的には、より柔軟な構造を含むメタルウッドゴルフクラブに関する。
【背景技術】
【０００２】
ゴルフクラブ設計の競争の厳しい業界において、距離と精度とは、メタルウッドタイプのゴルフクラブの望ましさを定義するのに役立つ最も重要な性能要因のうちの２つである。ある者は、ゴルフクラブの外観、感触、および音がゴルフクラブについての意見に影響を与えるかもしれないと主張するかもしれないが、性能要因がゴルフクラブの望ましさを決定する上で重要な役割を果たしているということに対する反論はない。メタルウッドタイプのゴルフクラブヘッドでは、精度を維持しながら距離を最大限に延ばす性能要因がさらに重要になっている。ゴルフショットの精度が個々のゴルフクラブによって得られる距離上の利益をはるかに凌駕するアイアンタイプのゴルフクラブヘッドとは異なり、メタルウッドタイプのゴルフクラブヘッドは、ゴルファが可能な限り遠くへ、また、まっすぐに打ち出すことが可能なように設計される。
【０００３】
メタルウッドタイプのゴルフクラブヘッドの精度を維持しながら距離を最大にするために、メタルウッドタイプのゴルフクラブは、当該ゴルフボールの幾何中心付近でゴルフクラブヘッドによって打たれたボールの距離を最大化するという目的をもって設計されてきた。ゴルフクラブヘッドの幾何中心は、本来的な物理法則に従って、一般に、ゴルフボールとゴルフクラブヘッドとの間の衝突中のエネルギ損失を低減させることによって距離を最大にするゴルフショットを実現できる。この値を定量化するために、合衆国ゴルフ協会（ＵＳＧＡ）は、ゴルフ業界と共に、反発係数（ＣＯＲ）の計算または特性時間（ＣＴ）の計算などの様々な方法を、ゴルフボールがゴルフクラブヘッドに衝突した後のゴルフボールのリバウンド特性を定量化する方法として策定してきた。
【０００４】
米国特許第６，３９０，９３３号は、（'９３３特許。Ｇａｌｌｏｗａｙ等）は、反発係数が０．８４５より大きいゴルフクラブヘッドと、時速１１０マイルのゴルフボールの２０００回の打撃に耐える耐久性を有するゴルフクラブヘッドのＣＯＲを増加させる方法の１つを検討しており、ここでは、クラブヘッドは、３つの部品、すなわち、フェース、ソール、およびクラウンから構成されて良い。より具体的には、'９３３特許は、１７５立方センチメートル〜４００立方センチメートルの範囲の体積、１６５グラム〜３００グラムの範囲の重量を有し、チタン材料から構築され、４．００平方インチから７．５０平方インチの範囲の打撃プレート表面積を有する。
【０００５】
米国特許公開第２００４／０１１６２０２号（'２０２特許公報。Ｌｉｎ）は、距離の代わりに精度を重視するものであり、ゴルフクラブヘッドが当該ゴルフクラブヘッドの周囲に複数の穴を具備して、クラブヘッドがゴルフボールを打撃するときに、それに伴って発生する振動波および音波の大部分がこれらの穴から分散し、ゴルフボールの打撃方向の精度を向上させることを開示し、もってゴルフクラブヘッドの精度を向上させる方法を検討している。
【０００６】
しかしながら、精密な検討を行うと、メタルウッドタイプのゴルフクラブヘッドの精度を維持しながら距離を最大にすることは、ゴルファがスイートスポットでゴルフボールを打つことができるという事実を前提としていることがわかる。平均的なゴルファがスイートスポットで一貫してゴルフボールを打つことは難しいであろう。したがって、上述の性能係数に加えて、このスウィートスポットのサイズおよび位置を最適化することが望ましく、これにより、平均ゴルファは、ゴルフクラブヘッドの距離および精度を最大化する設計上の利点を得ることができる。
【先行技術文献】
【特許文献】
【０００７】
【特許文献１】米国特許第６，３９０，９３３号明細書
【特許文献２】米国特許公開第２００４／０１１６２０２号
【考案の概要】
【０００８】
ここで説明されるシステム、方法、および装置は、複数の創作的な側面を有し、そのいずれの１つもそれらの所望の属性に対して不可欠でもなく、また、その要因をなすものでもない。ここで、有益な特徴のいくつかについて、特許請求の範囲を限定することなく、以下にまとめて示す。
【０００９】
この技術の１つの側面は、従来のゴルフクラブが中心から外れた打撃に対して良好に作用しないという認識である。したがって、改良されたゴルフクラブヘッド構造が必要とされている。この技術は、メタルウッドゴルフクラブに関する。この考案は、改良されたゴルフクラブヘッド構成を提供する。その結果、ゴルファは、打撃フェースの幾何中心以外の部分でゴルフボールを打ち、それでいて所望の距離を達成することができる。
【００１０】
この技術の非制約的な実施例は、つぎのようなメタルウッドゴルフクラブヘッドを含む。すなわち、このメタルウッドゴルフクラブヘッドは：幾何中心を有する打撃フェースと；クラウンおよびソールを有し、上記クラウンが上記打撃フェースの上側部分に結合され、上記ソールが上記打撃フェースの下側部分に結合される後方本体部分と；上記メタルウッドゴルフクラブヘッドのヒール側部に位置付けられたホーゼルと；上記ヒール側部の側部と反対の側部に位置付けられたトウ側部と；座標系であって、上記メタルウッドゴルフクラブヘッドの予め定められたライおよびロフトに従って上記メタルウッドゴルフクラブヘッドを接地平面に載置したとき上記接地平面と平行なｘ−軸であって、上記ｘ−軸は上記打撃フェースと実質的に平行であり、上記ｘ−軸は正の方向で上記メタルウッドゴルフクラブヘッドの上記ヒール側部に向かう、上記ｘ−軸と、上記ｘ−軸と垂直なｙ−軸であって、当該ｙ−軸は上記接地平面と直角であり、上記ｙ−軸は正の方向で上記クラウンに向かう、上記ｙ−軸と、上記ｘ−軸と垂直なｚ−軸であって、当該ｚ−軸は上記ｙ−軸と直角であり、上記ｚ−軸は上記接地平面と平行であり、上記ｚ−軸は正の方向で上記打撃フェースに向かう、上記ｚ−軸とを有する、上記座標系とを有し；上記メタルウッドゴルフクラブヘッドは、ゴルフクラブヘッド内部を有し、上記メタルウッドゴルフクラブヘッドは、外側表面を有し、上記外側表面は上記ゴルフクラブヘッド内部と反対側であり；さらに、上記幾何中心を通り抜ける鉛直平面と；上記幾何中心を通り抜ける中立軸であって、当該中立軸は上記幾何中心において上記打撃フェースの外側表面と直角である、上記中立軸と；上記打撃フェースの上側フェース限界から上記後方本体部分へと延びるクラウン返し部と；上記打撃フェースの下側フェース限界から上記後方本体部部分へと延びるソール返し部とを有し；上記中立軸に平行に上記幾何中心から測定される第１のオフセット距離ＤＮが５ｍｍより大きく３０ｍｍより小さく、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの５％の範囲内で差を有し、上記クラウン高さＣＨＮおよび上記ソール高さＳＨＮが上記鉛直平面で上記中立軸と直角に測定され；上記第１のオフセット距離ＤＮにおいて、上記クラウン高さＣＨＮが２０ｍｍより大きく、上記ソール高さＳＨＮが２０ｍｍより大きく；上記第１のオフセット距離ＤＮにおいて、上記クラウン返し部の厚さが上記ソール返し部の厚さの０．５ｍｍの範囲内で差を有する。
【００１１】
この技術の非制約的な実施例は、つぎのようなメタルウッドゴルフクラブヘッドを含む。すなわち、このメタルウッドゴルフクラブヘッドは：幾何中心を有する打撃フェースと；クラウンおよびソールを有し、上記クラウンが上記打撃フェースの上側部分に結合され、上記ソールが上記打撃フェースの下側部分に結合される後方本体部分と；上記メタルウッドゴルフクラブヘッドのヒール側部に位置付けられたホーゼルと；上記ヒール側部と反対の側部に位置付けられたトウ側部と；座標系であって、上記メタルウッドゴルフクラブヘッドの予め定められたライおよびロフトに従って上記メタルウッドゴルフクラブヘッドを接地平面に載置したとき上記接地平面と平行なｘ−軸であって、上記ｘ−軸は上記打撃フェースと実質的に平行であり、上記ｘ−軸は正の方向で上記メタルウッドゴルフクラブヘッドの上記ヒール側部に向かう、上記ｘ−軸と、上記ｘ−軸と垂直なｙ−軸であって、当該ｙ−軸は上記接地平面と直角であり、上記ｙ−軸は正の方向で上記クラウンに向かう、上記ｙ−軸と、上記ｘ−軸と垂直なｚ−軸であって、当該ｚ−軸は上記ｙ−軸と直角であり、上記ｚ−軸は上記接地平面と平行であり、上記ｚ−軸は正の方向で上記打撃フェースに向かう、上記ｚ−軸とを有する、上記座標系とを有し；上記メタルウッドゴルフクラブヘッドは、ゴルフクラブヘッド内部を有し、上記メタルウッドゴルフクラブヘッドは、外側表面を有し、上記外側表面は上記ゴルフクラブヘッド内部と反対側であり；さらに、上記幾何中心を通り抜ける鉛直平面と；上記幾何中心を通り抜ける中立軸であって、当該中立軸は上記幾何中心において上記打撃フェースの外側表面と直角である、上記中立軸と；上記打撃フェースの上側フェース限界から上記後方本体部分へと延びるクラウン返し部と；上記打撃フェースの下側フェース限界から上記後方本体部部分へと延びるソール返し部とを有し；上記中立軸に平行に上記幾何中心から測定される第１のオフセット距離ＤＮが５ｍｍより大きく３０ｍｍより小さく、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの１０％の範囲内で差を有し、上記クラウン高さＣＨＮおよび上記ソール高さＳＨＮが上記鉛直平面で上記中立軸と直角に測定される。
【００１２】
この技術の付加的で非制約的な実施例において、上記第１のオフセット距離ＤＮにおいて、上記クラウン高さＣＨＮが２０ｍｍより大きく、上記ソール高さＳＨＮが２０ｍｍより大きい。
【００１３】
この技術の付加的で非制約的な実施例において、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの８％の範囲内で差を有する。
【００１４】
この技術の付加的で非制約的な実施例において、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの６％の範囲内で差を有する。
【００１５】
この技術の付加的で非制約的な実施例において、上記第１のオフセット距離ＤＮにおいて測定される上記クラウン返し部のクラウン高さＣＨＮが、上記第１のオフセット距離ＤＮにおいて測定される上記ソール返し部のソール高さＳＨＮの４％の範囲内で差を有する。
【００１６】
この技術の付加的で非制約的な実施例において、上記第１のオフセット距離ＤＮにおいて測定される上記クラウン返し部の上記クラウン高さＣＨＮが上記第１のオフセット距離ＤＮにおいて測定される上記ソール返し部の上記ソール高さＳＨＮの２％の範囲内で差を有する。
【００１７】
この技術の付加的で非制約的な実施例において、上記鉛直面に沿って上記下側フェース限界から垂直に測定される下側フェース高さが１０ｍｍより大きい。
【００１８】
この技術の付加的で非制約的な実施例において、上記第１のオフセット距離ＤＮにおいて上記クラウン返し部の厚さが上記ソール返し部の厚さの１．０ｍｍの範囲内で差を有する。
【００１９】
この技術の付加的で非制約的な実施例において、上記第１のオフセット距離ＤＮにおいて上記クラウン返し部の厚さが上記ソール返し部の厚さの０．６ｍｍの範囲内の差を有する。
【００２０】
この技術の付加的で非制約的な実施例において、上記第１のオフセット距離ＤＮにおいて上記クラウン返し部の厚さが上記ソール返し部の厚さの０．２ｍｍの範囲内の差を有する。
【００２１】
添付図面は明細書の一部を形成し、これとの関係で理解されるべきである。ただし、図示の実施例は、単に事例であり、制約的であることを意図していない。種々の図において同様な参照番号および表示は同様の要素を示す。
【図面の簡単な説明】
【００２２】
この考案の、先の、または他の特徴および利点は、添付図面において図説される、この考案の以下の説明から明らかであろう。添付図面はここに組み入れて明細書の一部を構成し、この考案の原理を説明するのに役立ち、同業者がこの考案を実施することを可能にする。
【００２３】
【図１】ゴルフクラブヘッドの１実施例の斜視図を示す。
【図２】図１のゴルフクラブヘッドの正面図を示す。
【図３】図１のゴルフクラブヘッドのトウ側部の側面図を示す。
【図４】ゴルフクラブヘッドの幾何中心を通って鉛直に切断されたゴルフクラブヘッドのＡ−Ａ線側断面図を示す。
【考案を実施するための形態】
【００２４】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この考案の特徴の変更例および他の修正、並びに、ここで説明される、この考案の原理をさらなる応用は、この開示内容を元に当業者にもたらされ、この考案の範囲内であると考えられる。
【００２５】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの考案により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００２６】
この考案の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００２７】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ−」）は２またはそれ以上の事項を含む。用語「実質的」（「ｓｕｂｓｔａｎｔｉａｌｌｙ−」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ−」）は２またはそれ以上の代替物から１つを選択することを意味し、それらリストされた要素の選択が一時にそれらリストされた代替物のうちの唯一の１つに限定されることを意図しない。
【００２８】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００２９】
図１、図２および図３に示すように、ゴルフクラブヘッド１００は、座標系を含むことができる。座標系は、ゴルフクラブヘッド１００のヒール側部１０８に向かって延びる、打撃フェース１０６に実質的に平行な接地平面２００に平行なｘ−軸を含む。座標系は、ｘ−軸および接地平面２００と直角でクラウン１１２に向かって上方に延びているｙ−軸を含む。座標系は、ｘ−軸およびｙ−軸に直角で接地平面２００に平行で打撃フェース１０６に向かって延びているｚ−軸を含む。
【００３０】
図１〜図４に示すように、ゴルフクラブヘッド１００は、一般的に、打撃フェース１０６からクラウン１１２の内側へ後方に延びるクラウン返し部１１８と、打撃フェース１０６からソール１１４の内部へ後方に延びるソール返し部１２２を具備する。クラウン返し部１１８は、打撃フェースの上限１０９で始まり、幾何中心１０７から中立軸ＮＡに平行に３０ミリメートル（ｍｍ）だけ後方に延びる。ソール返し部１２２は打撃フェースの下限１１１で始まり、中立軸ＮＡは幾何中心１０７から中立軸ＮＡに平行に後方に３０ｍｍ延びる。中立軸ＮＡは幾何中心１０７から後方に延び、幾何中心１０７で打撃フェース１０６の前面に垂直である。打撃フェース１０６の幾何中心は、合衆国ゴルフ協会による、ゴルフクラブヘッドの柔軟性を測定するための手順、ＵＳＧＡ−ＴＰＸ−３００４、１．０．０版、２００８年５月１日に概要が記載されている衝突位置テンプレート（Ｉｍｐａｃｔ  Ｌｏｃａｔｉｏｎ  Ｔｅｍｐｌａｔｅ）により決定される衝突位置の中心によって定義される。ゴルフクラブヘッド１００の打撃フェース１０６は、僅かな湾曲を含むことができ、中心から外れた打撃の後のギア効果によるゴルフボールの軌道を修正するのに役立つ。ヒール側部１０８からトウ側部１１０への湾曲はバルジと呼ばれ、ソール１１４からクラウン１１２への湾曲は、ロールと呼ばれる。打撃フェース１０６の上限１０９は、曲率半径が打撃フェース１０６のロール半径から実質的に減少する打撃フェース１０６の頂部の点として定義される。打撃フェース１０６の下限１１１は、曲率半径が打撃フェース１０６のロール半径から実質的に減少する打撃フェース１０６の底部の点として定義される。
【００３１】
ゴルフクラブヘッド１００の様々な特徴は、ゴルフクラブヘッド１００の性能特性に影響を及ぼす可能性があり、性能特性は、例えば、打撃フェース１０６上の様々な点での打撃後のボール速度、打撃フェース１０６のスイートスポットのサイズ、打撃後のゴルフボールのバックスピンなどを含む。一般的に、ゴルフクラブ設計者の目標は、スウィートスポットのサイズ、すなわち、インパクト時のゴルフボールのエネルギの最大量を伝達する、打撃フェースの部分のサイズを最大化することである。さらに、ゴルフクラブ設計者の目標は、幾何中心より所定距離だけ上方に離れた位置で打たれたボールが、幾何中心より同じ距離だけ下方に離れた位置で打たれたボールと同じ速度で、フェースを離れるように、打撃フェースを正規化することである。中心から外れたボール速度の増加は、中心から外れた打撃に対して距離に関してより寛容性をもたらすという点で重要である。たとえゴルファが幾何中心にボールを正確に当てていなくても、ボールは幾何中心でボールを打撃したかのように同程度に遠方まで飛ぶ。
【００３２】
ここで説明するゴルフクラブヘッド１００の１つの利点は、独特な構造によってもたらされる改善された性能特性である。ここで説明するゴルフクラブヘッド１００および他の実施例は対称構造を採用し、この対称構造においては、ソール返し部１２２がクラウン返し部１１８と類似に構成され、もって、ソール返し部１２２およびクラウン返し部１１８がゴルフボール衝突中に同様に変形することを可能にし、正規化された打撃フェースを維持しながらスイートスポットのサイズを最大化する。
【００３３】
図４は、オフセット基準平面ＯＲＰおよびオフセット距離ＤＮを図説し、これは、幾何中心１０７における打撃フェース１０６に平行であり、ゴルフクラブヘッド１００の後方部分１０２に向かって中立軸に沿って距離ＤＮだけ離れた面である。鉛直平面は、ｙ−軸およびｘ−軸に平行であり、打撃フェース１０６の幾何中心を通り抜ける。この鉛直面は図４の断面図を切断するための平面と同一平面である。オフセット基準平面ＯＲＰは、鉛直平面と交差し、高さ測定軸ＨＭＡを構成する。ゴルフクラブヘッド１００は、ゴルフクラブヘッド１００の外部に外側表面１３０を含む。高さ測定軸ＨＭＡは、クラウン返し部１１８およびソール返し部１２２の両方において、外側表面１３０と交差する。クラウン高さＣＨＮは、高さ測定軸ＨＭＡと平行に、中立軸から、高さ測定軸ＨＭＡとクラウン返し部１１８の外側表面１３０との交点まで測定される。ソール高さＳＨＮは、高さ測定軸ＨＭＡと平行に、中立軸から、高さ測定軸ＨＭＡとソール返し部１２２の外側表面１３０との交点まで測定される。クラウン高さＣＨＮおよびソール高さＳＨＮの測定は、それぞれ指定されたオフセット距離ＤＮで行うことができる。以下の表１は、ゴルフクラブヘッド１００の一実施例の複数のオフセット距離ＤＮにおけるこれらの測定値を示す。
【表１】
0003220257.tif 000003
【００３４】
一実施例において、ゴルフクラブヘッド１００の幾何中心を通る鉛直平面に沿うクラウン返し部１１８の断面は、同じ断面に沿うソール返し部１２２と実質的に対称である。このように、クラウン高さＣＨＮは、各オフセット距離ＤＮにおいて、ソール高さＳＨＮと実質的に類似である。さらに、クラウン返し部１１８の厚さは、各オフセット距離ＤＮにおいて、ソール返し部１２２の厚さと実質的に類似である。以下の説明は、ゴルフクラブヘッド１００のクラウン返し部１１８とソール返し部１２２との対称性をより具体的に説明する。
【００３５】
一実施例においてでは、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの１％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの２％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの３％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの４％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの５％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの６％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの７％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの８％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの９％の範囲内の差しかない。一実施例において、第１のオフセット距離ＤＮは５ｍｍより大きく３０ｍｍ未満であり、第１のオフセット距離ＤＮで測定されたゴルフクラブヘッドのクラウン高さＣＨＮは、第１のオフセット距離ＤＮで測定されたソール高さＳＨＮの１０％の範囲内の差しかない。
【００３６】
一実施例において、５ｍｍより大きく３０ｍｍ未満のオフセット距離ＤＮでは、クラウン高さＣＨＮは２０ｍｍより大きく、ソール高さＳＨＮは２０ｍｍより大きい。一実施例において、５ｍｍより大きく３０ｍｍ未満のオフセット距離ＤＮでは、クラウン高さＣＨＮは２５ｍｍより大きく、ソール高さＳＨＮは２５ｍｍより大きい。一実施例において、５ｍｍより大きく３０ｍｍ未満のオフセット距離ＤＮでは、クラウン高さＣＨＮは３０ｍｍより大きく、ソール高さＳＨＮは３０ｍｍより大きい。
【００３７】
一実施例において、５ｍｍのオフセット距離ＤＮでは、クラウン高さＣＨＮは２０ｍｍより大きく、ソール高さＳＨＮは２０ｍｍより大きい。一実施例において、５ｍｍのオフセット距離ＤＮでは、クラウン高さＣＨＮは２５ｍｍより大きく、ソール高さＳＨＮは２５ｍｍより大きい。一実施例において、５ｍｍのオフセット距離ＤＮでは、クラウン高さＣＨＮは３０ｍｍより大きく、ソール高さＳＨＮは３０ｍｍより大きい。
【００３８】
一実施例において、１０ｍｍのオフセット距離ＤＮでは、クラウン高さＣＨＮは２０ｍｍより大きく、ソール高さＳＨＮは２０ｍｍより大きい。一実施例において、１０ｍｍのオフセット距離ＤＮでは、クラウン高さＣＨＮは２５ｍｍより大きく、ソール高さＳＨＮは２５ｍｍより大きい。一実施例において、１０ｍｍのオフセット距離ＤＮでは、クラウン高さＣＨＮは３０ｍｍより大きく、ソール高さＳＨＮは３０ｍｍより大きい。
【００３９】
一実施例において、１５ｍｍのオフセット距離ＤＮでは、クラウン高さＣＨＮは２０ｍｍより大きく、ソール高さＳＨＮは２０ｍｍより大きい。一実施例において、１５ｍｍのオフセット距離ＤＮでは、クラウン高さＣＨＮは２５ｍｍより大きく、ソール高さＳＨＮは２５ｍｍより大きい。一実施例において、１５ｍｍのオフセット距離ＤＮでは、クラウン高さＣＨＮは３０ｍｍより大きく、ソール高さＳＨＮは３０ｍｍより大きい。
【００４０】
一実施例において、２０ｍｍのオフセット距離ＤＮでは、クラウン高さＣＨＮは２０ｍｍより大きく、ソール高さＳＨＮは２０ｍｍより大きい。一実施例において、２０ｍｍのオフセット距離ＤＮでは、クラウン高さＣＨＮは２５ｍｍより大きく、ソール高さＳＨＮは２５ｍｍより大きい。一実施例において、２０ｍｍのオフセット距離ＤＮでは、クラウン高さＣＨＮは３０ｍｍより大きく、ソール高さＳＨＮは３０ｍｍより大きい。
【００４１】
一実施例において、２５ｍｍのオフセット距離ＤＮでは、クラウン高さＣＨＮは２０ｍｍより大きく、ソール高さＳＨＮは２０ｍｍより大きい。一実施例において、２５ｍｍのオフセット距離ＤＮでは、クラウン高さＣＨＮは２５ｍｍより大きく、ソール高さＳＨＮは２５ｍｍより大きい。一実施例において、２５ｍｍのオフセット距離ＤＮでは、クラウン高さＣＨＮは３０ｍｍより大きく、ソール高さＳＨＮは３０ｍｍより大きい。
【００４２】
一実施例において、３０ｍｍのオフセット距離ＤＮでは、クラウン高さＣＨＮは２０ｍｍより大きく、ソール高さＳＨＮは２０ｍｍより大きい。一実施例において、３０ｍｍのオフセット距離ＤＮでは、クラウン高さＣＨＮは２５ｍｍより大きく、ソール高さＳＨＮは２５ｍｍより大きい。一実施例において、３０ｍｍのオフセット距離ＤＮでは、クラウン高さＣＨＮは３０ｍｍより大きく、ソール高さＳＨＮは３０ｍｍより大きい。
【００４３】
一実施例において、第１のオフセット距離ＤＮは５ｍｍより大きく３０ｍｍ未満であり、第１のオフセット距離ＤＮで測定されたゴルフクラブヘッドのクラウン返し部厚さは、第１のオフセット距離ＤＮで測定されたゴルフクラブヘッドのソール返し部厚さと０．１ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．２ｍｍの範囲内の差しかない。一実施例において、第１のオフセット距離ＤＮが５ｍｍより大きく３０ｍｍ未満であり、第１のオフセット距離ＤＮで測定されたゴルフクラブヘッドのクラウン返し部厚さは、第１のオフセット距離ＤＮで測定されたソール返し部厚さと０．３ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．４ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．５ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．６ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．７ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．８ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと０．９ｍｍの範囲内の差しかない。一実施例において、第１のオフセット距離ＤＮは５ｍｍより大きく３０ｍｍ未満であり、第１のオフセット距離ＤＮで測定したゴルフクラブヘッドのクラウン返し部厚さは、第１のオフセット距離ＤＮで測定したソール返し部厚さと１．０ｍｍの範囲内の差しかない。
【００４４】
ゴルフクラブヘッド１００は、接地平面２００から打撃フェース１０６の幾何中心１０７を通って切断された鉛直平面上の下限（下側フェース限界）１１１まで鉛直に測定された下側フェース限界高さＬＦＬＨを有する。下側フェース限界高さＬＦＬＨは６ｍｍより大きい。一実施例において、下側フェース限界高さＬＦＬＨは７ｍｍより大きい。一実施例において、下側フェース限界高さＬＦＬＨは８ｍｍより大きい。一実施例において、下側フェース限界高さＬＦＬＨは９ｍｍより大きい。一実施例において、下側フェース限界高さＬＦＬＨは１０ｍｍより大きい。一実施例において、下側フェース限界高さＬＦＬＨは１１ｍｍより大きい。一実施例において、下側フェース限界高さＬＦＬＨは１２ｍｍより大きい。一実施例において、下側フェース限界高さＬＦＬＨは１３ｍｍより大きい。
【００４５】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【００４６】
この開示において説明した実施態様の種々の変形が当業者には明らかであり、ここに定義される包括的な原理はこの開示の趣旨または範囲から逸脱することなしに他の実施態様に適応されて良い。特許請求の範囲は、ここに示される実施態様に限定されることを意図せず、この開示、ならびにここに開示された原理および新規な特徴と合致する最も広い範囲のものに準拠すべきである。
【符号の説明】
【００４７】
１００    ゴルフクラブヘッド
１０２    後方部分
１０６    打撃フェース
１０７    幾何中心
１０８    ヒール側部
１０９    上限
１１０    トウ側部
１１１    下限
１１２    クラウン
１１４    ソール
１１８    クラウン返し部
１２２    ソール返し部
１３０    外側表面
２００    接地平面
ＤＮ    第１のオフセット距離
ＮＡ    中立軸
ＯＲＰ    オフセット基準平面
【図１】
0003220257.tif 000004
【図２】
0003220257.tif 000005
【図３】
0003220257.tif 000006
【図４】
0003220257.tif 000007